【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて動作するワイヤレス通信装置に結合されるように構成されるスマート記憶デバイスであって、前記スマート記憶デバイスは、
前記スマート記憶デバイスのメモリにネットワークアクセス情報を記憶するための手段と、前記ネットワークアクセス情報は、前記ワイヤレス通信ネットワークのサービスにアクセスするためのものである、
前記ワイヤレス通信装置にメッセージを送信するための手段と、前記メッセージは、前記スマート記憶デバイスによって記憶される前記ネットワークアクセス情報に対する更新を前記ワイヤレス通信装置に通知するデータを備え、前記データは、
前記ワイヤレス通信装置が前記ワイヤレス通信装置のアクティブな動作を保留し、前記ワイヤレス通信装置によって管理される情報の更新を開始するコマンドをさらに備え、ここで、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づくということにおいて特徴付けられる、
を備える、スマート記憶デバイス。
【請求項２】
前記１つ以上の条件は、前記メッセージが前記ワイヤレス通信装置に送信されるときに前記ワイヤレス通信装置によって行われる前記動作のタイプに関わらず、前記更新を開始するための条件、または、
前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、請求項１に記載のスマート記憶デバイス。
【請求項３】
前記コマンドは、ユーザ入力を得るためのインジケーションをさらに備え、前記１つ以上の条件は、前記ユーザ入力に基づいて更新を開始するための条件を備える、請求項１に記載のスマート記憶デバイス。
【請求項４】
前記メッセージは、第２のメッセージを備えており、前記スマート記憶デバイスは、前記ワイヤレス通信装置に第１のメッセージを送信することに応答して、前記ワイヤレス通信装置のアクティブコールのリストを受信するための手段を備え、前記１つ以上の条件は、アクティブコールの前記リストに基づく、請求項１に記載のスマート記憶デバイス。
【請求項５】
前記ネットワークアクセス情報は、前記ワイヤレス通信装置のユーザに関連付けられた加入者情報、ネットワーク事業者情報、および認証情報のうちの少なくとも１つを備える、請求項１に記載のスマート記憶デバイス。
【請求項６】
前記コマンドは、前記更新を強制するように構成される、請求項１に記載のスマート記憶デバイス。
【請求項７】
スマート記憶デバイスに記憶されるネットワークアクセス情報を管理する方法であって、前記スマート記憶デバイスは、ワイヤレス通信ネットワークにおいて動作するワイヤレス通信装置に結合されるように構成されており、前記方法は、
前記スマート記憶デバイスのメモリに前記ネットワークアクセス情報を記憶することと、前記ネットワークアクセス情報は、前記ワイヤレス通信ネットワークのサービスにアクセスするためのものである、
前記ワイヤレス通信装置にメッセージを送信することと、前記メッセージは、前記スマート記憶デバイスによって記憶される前記ネットワークアクセス情報に対する更新を前記ワイヤレス通信装置に通知するデータを備え、前記データは、
前記ワイヤレス通信装置が前記ワイヤレス通信装置のアクティブな動作を保留し、前記ワイヤレス通信装置によって管理される情報の更新を開始するコマンドをさらに備え、ここで、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づくということにおいて特徴付けられる、
を備える、方法。
【請求項８】
ワイヤレス通信ネットワークにおいて動作するワイヤレス通信装置であって、前記ワイヤレス通信装置は、スマート記憶デバイスに結合されるように構成されており、前記ワイヤレス通信装置は、
前記スマート記憶デバイスから受信されるメッセージに基づく情報を記憶するための手段と、
前記スマート記憶デバイスからメッセージを受信するための手段と、前記メッセージは、前記スマート記憶デバイスによって記憶される前記ワイヤレス通信ネットワークのサービスにアクセスするためのネットワークアクセス情報に対する更新を前記ワイヤレス通信装置に通知するデータを備え、前記データは、
前記ワイヤレス通信装置が前記ワイヤレス通信装置のアクティブな動作を保留し、前記情報の更新を開始するコマンドをさらに備え、ここで、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づくということにおいて特徴付けられる、
を備える、ワイヤレス通信装置。
【請求項９】
前記１つ以上の条件に基づいて、前記情報の前記更新を開始するための手段をさらに備える、請求項８に記載のワイヤレス通信装置。
【請求項１０】
前記１つ以上の条件は、前記メッセージが前記ワイヤレス通信装置に送信されるときに前記ワイヤレス通信装置によって行われる前記動作のタイプに関わらず、前記更新を開始するための条件、または、
前記メッセージが送信されるときに前記ワイヤレス通信装置によって行われる前記動作が、データコール、音声コール、任意のタイプのコール、またはユーザインターフェースをナビゲートすることのうちの少なくとも１つである場合に、前記更新を開始するための条件を備える、請求項８に記載のワイヤレス通信装置。
【請求項１１】
前記コマンドは、ユーザ入力を得るためのインジケーションをさらに備え、前記１つ以上の条件は、前記ユーザ入力に基づいて更新を開始するための条件を備える、請求項８に記載のワイヤレス通信装置。
【請求項１２】
前記メッセージは、第２のメッセージを備えており、前記装置は、さらに、前記スマート記憶デバイスから第１のメッセージを受信することに応答して前記ワイヤレス通信装置のアクティブコールのリストを送信するための手段を備え、前記１つ以上の条件は、アクティブコールの前記リストに基づく、請求項８に記載のワイヤレス通信装置。
【請求項１３】
前記スマート記憶デバイスは、ユニバーサル集積回路カード（ＵＩＣＣ）、または、加入者識別モジュール（ＳＩＭ）を備える、請求項１乃至６または８乃至１２に記載のワイヤレス通信装置。
【請求項１４】
スマート記憶デバイスと対話する方法であって、前記方法は、
前記スマート記憶デバイスからワイヤレス通信装置によって受信されるメッセージに基づいて、ワイヤレス通信装置で情報を記憶することと、
前記スマート記憶デバイスからメッセージを受信することと、前記メッセージは、前記スマート記憶デバイスによって記憶される、ワイヤレス通信ネットワークのサービスにアクセスするためのネットワークアクセス情報に対する更新を、前記ワイヤレス通信装置に通知するデータを備え、前記データは、前記ワイヤレス通信装置が前記ワイヤレス通信装置のアクティブな動作を保留し、前記情報の更新を開始するコマンドをさらに備え、ここで、前記コマンドは、前記ワイヤレス通信装置が前記コマンドを行うことを要求される１つ以上の条件を規定するフィールドを備え、前記情報の更新は、更新された前記ネットワークアクセス情報の少なくとも一部に基づくということにおいて特徴付けられる、
を備える、方法。
【請求項１５】
実行時にワイヤレス通信装置に請求項７または１４に記載の方法を行わせる命令群によってエンコードされた、非一時的コンピュータ可読媒体を備えるコンピュータプログラム製品。